(57)【特許請求の範囲】
【請求項１】
複数の表示デバイスに対して表示画面や音声の出力を行う情報処理装置であって、
情報発信装置、及び、この情報発信装置により発信された情報を受信する複数の受信装置を備えるとともに、
表示画面や音声の出力先を示す情報と、前記複数の受信装置のＯＮ／ＯＦＦ状態を示す情報とをそれぞれ対応付けて記憶する記憶手段と、
表示画面や音声の出力先が切り替えられた際、前記記憶手段においてこの切り替え後の出力先に対応付けられた情報に基づいて、前記複数の受信装置のＯＮ／ＯＦＦ状態を設定する設定手段と、
を備えたことを特徴とする情報処理装置。
【請求項２】
前記情報発信装置が赤外線発信装置であるとともに、前記受信装置が赤外線受信装置であることを特徴とする請求項１記載の情報処理装置。
【請求項３】
前記複数の受信装置のうちの一部が情報処理装置の本体に内蔵され、一部が情報処理装置の外部に設置されたことを特徴とする請求項１記載の情報処理装置。
【請求項４】
前記記憶手段は、外部の表示デバイスを表示画面や音声の出力先とする旨を示す情報と、前記本体に内蔵された受信装置をＯＦＦにして前記外部に設置された受信装置をＯＮにする旨を示す情報とをそれぞれ対応付けて記憶していて、
前記設定手段は、表示画面や音声の出力先が前記外部の表示デバイスに切り替えられた場合、前記本体に内蔵された受信装置をＯＦＦにし、前記外部に設置された受信装置をＯＮにする請求項３記載の情報処理装置。
【請求項５】
前記記憶手段は、本体に内蔵された表示デバイスを表示画面や音声の出力先とする旨を示す情報と、前記本体に内蔵された受信装置をＯＮにして前記外部に設置された受信装置をＯＦＦにする旨を示す情報とをそれぞれ対応付けて記憶していて、
前記設定手段は、表示画面や音声の出力先が前記本体に内蔵された表示デバイスに切り替えられた場合、前記本体に内蔵された受信装置をＯＮにし、前記外部に設置された受信装置をＯＦＦにする請求項３記載の情報処理装置。
【請求項６】
前記記憶手段は、本体に内蔵された表示デバイス及び外部の表示デバイスの双方を表示画面や音声の出力先とする旨を示す情報と、前記本体に内蔵された受信装置をＯＮにして前記外部に設置された受信装置をＯＦＦにする旨を示す情報とをそれぞれ対応付けて記憶していて、
前記設定手段は、表示画面や音声の出力先が前記本体に内蔵された表示デバイス及び外部の表示デバイスの同時出力に切り替えられた場合、前記本体に内蔵された受信装置をＯＮにし、前記外部に設置された受信装置をＯＦＦにする請求項３記載の情報処理装置。
【請求項７】
前記記憶手段は、本体に内蔵された表示デバイス及び外部の表示デバイスの双方を表示画面や音声の出力先とする旨を示す情報と、前記本体に内蔵された受信装置をＯＦＦにして前記外部に設置された受信装置をＯＮにする旨を示す情報とをそれぞれ対応付けて記憶していて、
前記設定手段は、表示画面や音声の出力先が前記本体に内蔵された表示デバイス及び外部の表示デバイスの同時出力に切り替えられた場合、前記本体に内蔵された受信装置をＯＦＦにし、前記外部に設置された受信装置をＯＮにする請求項３記載の情報処理装置。
【発明の詳細な説明】
【技術分野】
【０００１】
本発明は、複数の表示デバイスに対して表示画面や音声を出力するとともに、複数のＩＲリモコンの受信部を備えた情報処理装置に係り、特に、表示画面や音声の出力先が切り替えられるのに連動してＩＲリモコンの受信部を切り替えることができる情報処理装置に関する。
【背景技術】
【０００２】
近年、例えばノートＰＣ（Ｐｅｒｓｏｎａｌ  Ｃｏｍｐｕｔｅｒ）等の情報処理装置において、外部モニタやＴＶ等の表示デバイスを接続することにより、表示画面や音声の出力先をこれらの表示デバイス間で切り替えることができるようになっている。この場合、情報処理装置において出力ドライバのユーティリティやホットキー（キーボードによるショートカットキー）等を使用して、ユーザが、出力を行う表示デバイスを切り替えることができる。
【０００３】
そこで、リモコンがその位置に応じて認識コードに基づいて、対応するディスプレイ用操作コードをディスプレイに向けて送信することで、操作対象ディスプレイをリモコン自身が判断する操作システムが記載されている（特許文献１参照）。
【特許文献１】特開２００４−９６２８０号公報
【発明の開示】
【発明が解決しようとする課題】
【０００４】
ＡＶ機能を謳った情報処理装置は、一般的に、ＴＶ視聴やＤＶＤ再生などのＡＶアプリケーション操作用に赤外線リモートコントローラ（以下、ＩＲリモコン）を備えているとともに、情報処理装置の本体にこのＩＲリモコンの受信部が装備されている。ユーザは情報処理装置の本体から離れた位置において、ＩＲリモコンを情報処理装置の本体のリモコン受信用の受信部に向けて操作することにより、ＡＶアプリケーションを操作することができる。
【０００５】
また、ノート型の情報処理装置等の場合、本体に内蔵されているＬＣＤの他に、外部の表示インタフェースとして、アナログＲＧＢ出力、Ｓ端子やコンポジットなどのアナログＴＶ出力端子、Ｄ端子やＨＤＭＩなどのデジタルＴＶ出力を装備しており、内蔵されているＬＣＤ以外の外部の表示デバイスに、ＡＶアプリケーションによる映像出力を行えるようになっている。このように外部の表示デバイスを接続した場合、キー操作や表示ドライバのユーティリティなどを使用し、ユーザの指示によって、表示画面や音声の出力先となる表示デバイスを切り替えることができる。
【０００６】
ここで、外部の表示デバイスに映像を出力した場合、ユーザは通常、表示画面に向けてＩＲリモコンを操作しがちである。ところが、情報処理装置において、ＩＲリモコンの受信部が本体に内蔵されているため、外部の表示デバイスが情報処理装置から離れた位置にある場合であっても、外部の表示デバイスではなく、情報処理装置に向けてリモコンを操作する必要がある。
【０００７】
一方、情報処理装置のＲＳ−２３２ＣインタフェースやＵＳＢインタフェースを用いることで、リモコンの受信部が情報処理装置の本体とは別にケーブル接続で提供されている場合も考えられる。この場合、ケーブル長の範囲内でリモコン受信部をテレビなどの外部表示デバイスの傍に設置することができる。しかしながら、情報処理装置に内蔵されたＬＣＤを使用する場合であっても、ＩＲリモコンを情報処理装置でなくリモコン受信部に向けて操作しなければならなかった。
【０００８】
本発明は、上記課題を鑑みなされたもので、赤外線発信装置（ＩＲリモコン）及び複数の赤外線受信装置を備え、外部の表示デバイスが接続されている際に、表示デバイスの切り替えに連動させて各々の赤外線受信装置のＯＮ／ＯＦＦ状態を切り替えることにより、表示デバイス切り替え時のユーザの煩雑な操作を軽減することができる情報処理装置を提供することを目的とする。
【課題を解決するための手段】
【０００９】
上記課題を解決するために、本発明に係る情報処理装置は、複数の表示デバイスに対して表示画面や音声の出力を行う情報処理装置であって、情報発信装置、及び、この情報発信装置により発信された情報を受信する複数の受信装置を備えるとともに、表示画面や音声の出力先を示す情報と、前記複数の受信装置のＯＮ／ＯＦＦ状態を示す情報とをそれぞれ対応付けて記憶する記憶手段と、表示画面や音声の出力先が切り替えられた際、前記記憶手段においてこの切り替え後の出力先に対応付けられた情報に基づいて、前記複数の受信装置のＯＮ／ＯＦＦ状態を設定する設定手段と、を備えたことを特徴とする。
【発明の効果】
【００１０】
本発明に係る情報処理装置によると、赤外線発信装置（ＩＲリモコン）及び複数の赤外線受信装置を備え、外部の表示デバイスが接続されている際に、表示デバイスの切り替えに連動させて各々の赤外線受信装置のＯＮ／ＯＦＦ状態を切り替えることにより、表示デバイス切り替え時のユーザの煩雑な操作を軽減することができる情報処理装置を提供することができる。
【発明を実施するための最良の形態】
【００１１】
本発明に係る情報処理装置の実施形態について、添付図面に基づいて説明する。図１は、本発明に係る情報処理装置１が適用される情報処理システム２のシステム構成図である。情報処理システム２では、情報処理装置１に対して複数の表示デバイスが接続されている。表示デバイスは、例えばアナログＲＧＢモニタ等の外部モニタ５、ＴＶ（Ｔｅｌｅｖｉｓｉｏｎ）６等である。ＴＶ６は、コンポジット映像やＳ映像等の映像を再生する。
【００１２】
情報処理装置１は、映像信号を送信する際に用いられるＳビデオ端子、Ｄ端子、ＨＤＭＩ端子等を備えていて、例えば外部モニタ５やＴＶ６はこれらの端子を介して情報処理装置１に接続されている。以下、外部モニタ５を「ＣＲＴ」、ＴＶ６を「ＴＶ」と呼ぶ。
【００１３】
図２は、情報処理装置１の機能ブロック図である。情報処理装置１は、一般的に用いられているＰＣ（Ｐｅｒｓｏｎａｌ  Ｃｏｍｐｕｔｅｒ）等であり、図２に示すように、ＣＰＵ（Ｃｅｎｔｒａｌ  Ｐｒｏｃｅｓｓｉｎｇ  Ｕｎｉｔ）１１、ＲＡＭ（Ｒａｎｄｏｍ  Ａｃｃｅｓｓ  Ｍｅｍｏｒｙ）１２、ＨＤ（Ｈａｒｄ  Ｄｉｓｋ）ドライブ１３、ＲＯＭ（Ｒｅａｄ  Ｏｎｌｙ  Ｍｅｍｏｒｙ）ドライブ１４、入力制御部１５、表示制御部１６、音声出力制御部１８、赤外線受信部１９、及び外部赤外線装置接続部２０を備えていて、これらはチップセット２１により相互に通信可能に接続されている。
【００１４】
ＣＰＵ１１は、情報処理装置１を総括的に制御し、後述する赤外線受信制御処理やその他の様々な演算処理や制御処理を行う。ＲＡＭ１２は、ＣＰＵ１１が処理を行う際の作業領域として、処理に必要なデータを一時的に記憶する。ＨＤドライブ１３は、ＣＰＵ１１が処理を行うための処理プログラムや処理に必要なデータが記憶されたＨＤ（Ｈａｒｄ  Ｄｉｓｋ）に対して読み書きを行うための駆動装置である。ＲＯＭドライブ１４は、映像データ等が記憶されたＤＶＤ（Ｄｉｇｉｔａｌ  Ｖｅｒｓａｔｉｌｅ  Ｄｉｓｋ）等の記録媒体に対して読み書きを行うための駆動装置である。入力制御部１５は、マウスやキーボード等の入力装置２２に対する入力インタフェースを備え、これらの入力装置２２を介して入力された信号をＣＰＵ１１に伝送する。
【００１５】
表示制御部１６は、液晶ディスプレイ（ＬＣＤ）２３に文書データや画像データを表示するための表示インタフェースや、ビデオＲＡＭ２４にロードされたフレームデータを液晶ディスプレイ２３に出力するためのＧＰＵ（Ｇｒａｐｈｉｃｓ  Ｐｒｏｃｅｓｓｉｎｇ  Ｕｎｉｔ）を備えていて、ＣＰＵ１１の制御に基づいて液晶ディスプレイ２３に対する表示処理を行う。また表示制御部１６は、外部モニタ５やＴＶ６やその他の表示デバイスに表示するための表示インタフェースや、外部モニタ５やＴＶ６やその他の表示デバイスが接続されている場合に表示先を切り替えるセレクタ、デジタル信号をアナログ映像出力に変換するコンバータ等を備えている。なお、ビデオＲＡＭ２４は、表示用フレームデータを一時的に格納するメモリである。
【００１６】
音声出力制御部１８は、情報処理装置１に内蔵されたスピーカ２５に音声を出力するための出力インタフェースを備え、ＣＰＵ１１の制御に基づいてスピーカ２５に対する音声出力処理を制御する。また音声出力制御部１８は、外部モニタ５やＴＶ６に対して音声出力を行うためのインタフェースであるヘッドフォン出力や、音声のデコードやデジタル信号のアナログ変換を行うためのコンバータ、音量を変更するインタフェース、音声出力の出力先のインタフェースを変更するための手段を備えている。
【００１７】
赤外線受信部１９は、情報処理装置１に内蔵された赤外線受信装置を具備するとともに、この赤外線受信装置に対するインタフェースを備えている。赤外線受信部１９は、この内蔵された赤外線受信装置が赤外線発光装置（赤外線発信装置）７から赤外線を受信した際に、この受信した赤外線に基づいて信号を生成してＣＰＵ１１に伝送する。
【００１８】
外部赤外線装置接続部２０は、情報処理装置１の外部に設置される外部赤外線受信装置４に有線接続されるとともに、この外部赤外線受信装置４に対するインタフェースを備えている。外部赤外線装置接続部２０は、外部赤外線受信装置４が赤外線発光装置７から赤外線を受信した際に、外部赤外線受信装置４から受信した赤外線に基づいた信号を取得してＣＰＵ１１に伝送する。
【００１９】
チップセット２１は、メモリコントローラ、バスブリッジ、ＩＤＥ（Ｉｎｔｅｇｒａｔｅｄ  Ｄｒｉｖｅ  Ｅｌｅｃｔｒｏｎｉｃｓ）コントローラ、各種Ｉ／Ｏコントローラ等を備えた集積回路である。
【００２０】
図３に示すように、ユーザが情報処理装置１にてＡＶアプリケーションを実行する際、情報処理装置１の本体に内蔵されている液晶ディスプレイ２３の他に、情報処理装置１に外部の表示デバイスとして、ＣＲＴ５や液晶モニタをアナログＲＧＢ端子により接続したり、あるいはＴＶ６をＳビデオ端子、Ｄ端子、ＨＤＭＩ端子等により接続したりした状態で、ＤＶＤの映像、あるいはテレビ映像等を視聴する場面が想定される。このような場面において、ユーザは通常、映像を出力している表示デバイスに対面する形で映像を視聴している。
【００２１】
ユーザが情報処理装置１のＡＶアプリケーションを実行して、外部の表示デバイス（例えばＴＶ６）を用いて映像を視聴する場合、情報処理装置１本体の外部モニタ端子とＴＶ６とがＡＶケーブルで接続される。ユーザが表示画面や音声を出力する表示デバイスをＴＶ６に切り替えた場合、この情報処理装置１に接続されているＴＶ６の画面上に映像が表示される。
【００２２】
一般的に、映像の出力先が外部の表示デバイスに切り替わった場合であっても、赤外線発光装置（リモコン）７から出射された赤外線は、情報処理装置１の本体に内蔵された赤外線受信部１９にて受信される。そのため、映像の出力先は外部の表示デバイスであるにも関わらず、ユーザは情報処理装置１に向けてリモコンを操作しなければならない。
【００２３】
そこで、情報処理装置１は、本体に内蔵された赤外線受信部１９に加えて、外部赤外線受信装置４と、この外部赤外線受信装置４において受信した情報を取得する外部赤外線装置接続部２０とを具備する。そして、外部赤外線受信装置４を外部の表示デバイスの近辺に設置し、この外部赤外線受信装置４でも赤外線発光装置７から出射された赤外線を受信できるようにする。そして、表示デバイスの切り替え時に、使用される赤外線受信装置（内蔵された赤外線受信装置、及び外部赤外線受信装置４等）のＯＮ／ＯＦＦ状態を設定することにより、表示デバイス切り替え時のユーザの煩雑な操作を軽減することが可能となる。
【００２４】
表示画面や音声を出力する表示デバイスを切り替える際に、赤外線発光装置７から出射された赤外線を受信するための複数の赤外線受信装置のＯＮ／ＯＦＦ状態をそれぞれ設定するために、ＨＤドライブ１３は、出力先とする表示デバイスと各々の赤外線受信装置のＯＮ／ＯＦＦ状態とが対応付けられた切替情報３０を記憶している。
【００２５】
切替情報３０は、図４に示すように、表示デバイスに対する出力モードを示す出力モード情報３１、第１の出力先を示すモニタ１情報３２、第２の出力先を示すモニタ２情報３３からなる表示デバイス情報に対して、内蔵されている赤外線受信装置（赤外線受信部１９が具備する赤外線受信装置）のＯＮ／ＯＦＦ状態を示す直接入力情報３４、外部赤外線装置接続部２０に接続された外部赤外線受信装置４のＯＮ／ＯＦＦ状態を示す外部入力情報３５がそれぞれ対応付けられた情報である。
【００２６】
出力モードは、例えば「単体表示」、「同時表示」、「マルチモニタ」等がある。「単体表示」は、図６及び図７に示すように、液晶ディスプレイ２３または外部モニタ５、ＴＶ６のいずれか一つにおいて表示を行う出力モードである。「同時表示」は、図８に示すように、液晶ディスプレイ２３と外部モニタ５、または、液晶ディスプレイ２３とＴＶ６に同じ画面を表示する出力モードである。また「マルチモニタ」は、図９及び図１０に示すように、液晶ディスプレイ２３と外部モニタ５、または、液晶ディスプレイ２３とＴＶ６に異なる画面、例えばプライマリ画面（第１の表示画面；図９及び図１０において「１」で示す）とセカンダリ画面（第２の表示画面；図９及び図１０において「２」で示す）を表示する出力モードである。
【００２７】
モニタ１情報３２及びモニタ２情報３３は、表示を行う出力先を示し、出力モードが「単体表示」の場合、モニタ１情報３２のみに出力先が示され、出力モードが「同時表示」である場合、モニタ１情報３２及びモニタ２情報３３に出力先が示される。また出力モードが「マルチモニタ」である場合、モニタ１情報３２に第１の表示情報を表示する出力先が、モニタ２情報３３に第２の表示情報を表示する出力先が示される。
【００２８】
直接入力情報３４は、内蔵された赤外線受信装置（赤外線受信部１９）の赤外線受信機能のＯＮ／ＯＦＦ状態を示す。外部入力情報３５は、外部に設置された赤外線受信装置４の赤外線受信機能のＯＮ／ＯＦＦ状態を示す。
【００２９】
この切替情報３０は、ユーザによって予め設定されてＨＤドライブ１３に記憶されているものとする。また、切替情報３０は、ユーザによって任意に書き換えてＨＤドライブ１３に記憶しなおすことができるものとする。
【００３０】
ユーザにより表示処理に関する出力先が設定されると、ＣＰＵ１１は、切替情報３０に基づいて、赤外線受信装置のＯＮ／ＯＦＦ状態を設定する。この表示処理に関する出力先は、例えば、図５に示す設定画面３７が液晶ディスプレイ２３に表示され、ユーザがこの設定画面３７から任意の選択項目をマウスやキーボード等の入力装置２２を介して選択することにより設定される。設定画面３７には、例えば、選択項目３７ａ乃至選択項目３７ｈが表示されている。
【００３１】
選択項目３７ａは、図６に示すように、出力モードを「単体表示」、モニタ１を「ＬＣＤ」に設定することを示す。選択項目３７ｂは、図８に示すように、出力モードを「同時表示」、モニタ１及びモニタ２を「ＬＤＣ」及び「ＣＲＴ」に設定することを示す。選択項目３７ｃは、図７に示すように、出力モードを「単体表示」、モニタ１を「ＣＲＴ」に設定することを示す。選択項目３７ｄは、図８に示すように、出力モードを「同時表示」、モニタ１及びモニタ２を「ＬＣＤ」及び「ＴＶ」に設定することを示す。選択項目３７ｅは、図７に示すように、出力モードを「単体表示」、モニタ１を「ＴＶ」に設定することを示す。選択項目３７ｆは、図９に示すように、出力モードを「マルチモード」、モニタ１を「ＬＣＤ」、モニタ２を「ＣＲＴ」に設定することを示す。選択項目３７ｇは、図９に示すように、出力モードを「マルチモード」、モニタ１を「ＬＣＤ」、モニタ２を「ＴＶ」に設定することを示す。選択項目３７ｈは、図１０に示すように、選択項目３７ｆ及び選択項目３７ｇに示すマルチモードにおいて、モニタ１とモニタ２を入れ替えるための選択項目である。
【００３２】
情報処理装置１は、例えばユーザが入力装置２２を介して、選択画面３７に表示されたいずれかの選択項目を選択することにより、表示処理に関する出力先が設定されると、切替情報３０に基づいて赤外線受信装置のＯＮ／ＯＦＦ状態を制御する赤外線受信制御処理を行う。情報処理装置１がこの赤外線受信制御処理を行う際の手順について、図１１に示すフローチャートに基づいて説明する。以下、例えば「ステップＳ１０１」を「Ｓ１０１」のように「ステップ」の語句を省略して説明する。
【００３３】
まずＣＰＵ１１は、表示デバイスが接続されたとき等に、表示画面や音声の出力先が設定されたか否かを判断する（Ｓ１０１）。この指示は、例えば、ユーザが設定画面３７に表示された選択項目３７ａ乃至３７ｈからいずれかの選択項目を入力装置２２により選択して表示画面や音声の出力先を設定することに基づいて行われる。なお、選択項目３７ａ乃至３７ｈは、それぞれ表示画面や音声の出力先を示していて、以下に説明する赤外線受信装置のＯＮ／ＯＦＦ状態を設定するための判断に用いられる。表示画面や音声の出力先が設定されていない場合（Ｓ１０１のＮｏ）は、ＣＰＵ１１はそのまま待機する。
【００３４】
表示画面や音声の出力先が設定された場合（Ｓ１０１のＹｅｓ）は、ＣＰＵ１１は、ＨＤドライブ１３から切替情報３０を取得する（Ｓ１０３）。この切替情報３０において、表示画面や音声の出力先と赤外線受信装置のＯＮ／ＯＦＦ状態とが対応付けられている。またＣＰＵ１１は、ループのカウンタをリセットする（Ｓ１０５）。この際のループとは、ステップＳ１０３にて取得した切替情報３０から、ステップＳ１０１にて設定された表示画面や音声の出力先に対応する情報を取得するために切替情報３０を探索するためのループである。
【００３５】
ＣＰＵ１１は、ステップＳ１０１にて設定された表示画面や音声の出力先が、ステップＳ１０３にて取得した切替情報３０の表示デバイス情報と一致するか否かを判断する（Ｓ１０７）。表示画面や音声の出力先が切替情報３０の表示デバイス情報と一致しなかった場合（Ｓ１０７のＮｏ）は、ＣＰＵ１１は、ステップＳ１０５にてリセットしたループのカウンタに１を加える（Ｓ１０９）。そしてＣＰＵ１１は、ステップＳ１０７に戻って、表示画面や音声の出力先が、切替情報３０の次の表示デバイス情報と一致するか否かを判断する。
【００３６】
表示画面や音声の出力先が切替情報３０の表示デバイス情報と一致した場合（Ｓ１０７のＹｅｓ）は、ＣＰＵ１１は、切替情報３０から、ステップＳ１０１にて設定された表示画面や音声の出力先に対応付けられた直接入力情報３４を取得する（Ｓ１１１）。
【００３７】
ＣＰＵ１１は、ステップＳ１１１にて取得した直接入力情報３４が「ＯＮ」であるか否かを判断する（Ｓ１１３）。直接入力情報３４が「ＯＮ」であった場合（Ｓ１１３のＹｅｓ）は、ＣＰＵ１１は、内蔵された赤外線受信装置（赤外線受信部１９）の赤外線受信機能をＯＮに設定する（Ｓ１１５）。一方、直接入力情報３４が「ＯＦＦ」であった場合（Ｓ１１３のＮｏ）は、ＣＰＵ１１は、内蔵された赤外線受信装置（赤外線受信部１９）の赤外線受信機能をＯＦＦに設定する（Ｓ１１７）。
【００３８】
次にＣＰＵ１１は、切替情報３０から、ステップＳ１０１にて設定された表示画面や音声の出力先に対応付けられた外部入力情報３５を取得する（Ｓ１１９）。そして、ＣＰＵ１１は、ステップＳ１１９にて取得した外部入力情報３５が「ＯＮ」であるか否かを判断する（Ｓ１２１）。
【００３９】
外部入力情報３５が「ＯＮ」であった場合（Ｓ１２１のＹｅｓ）は、ＣＰＵ１１は、赤外線装置接続部２０に接続された外部赤外線受信装置４の赤外線受信機能をＯＮに設定する（Ｓ１２３）。一方、外部入力情報３５が「ＯＦＦ」であった場合（Ｓ１２１のＮｏ）は、ＣＰＵ１１は、外部赤外線受信装置４の赤外線受信機能をＯＦＦに設定する（Ｓ１２５）。
【００４０】
ここで、図４に示す切替情報３０のいくつかの設定項目について、図１１に示すフローチャートに従って赤外線受信装置のＯＮ／ＯＦＦ状態を設定した場合の具体例を示す。ステップＳ１０１にてＬＣＤの単体表示が設定された場合、切替情報３０において直接入力情報３４が「ＯＮ」に設定されているため、ステップＳ１１５にて内蔵された赤外線受信装置の赤外線受信機能をＯＮに設定する。この場合、ユーザは、情報処理装置１に向けて赤外線発光装置７（リモコン）を操作すれば良い。
【００４１】
また、ステップＳ１０１にてＣＲＴ単体表示またはＴＶ単体表示が設定された場合、直接入力情報３４が「ＯＦＦ」に、外部入力情報３５が「ＯＮ」に設定されているため、ステップＳ１１７にて内蔵された赤外線受信装置の赤外線受信機能をＯＦＦに設定するとともに、ステップＳ１２３にて外部赤外線受信装置４の赤外線受信機能をＯＮに設定する。この場合、ユーザは、ＣＲＴ５またはＴＶ６に向けて赤外線発光装置７（リモコン）を操作すれば良い。
【００４２】
また、ステップＳ１０１にてＬＣＤとＣＲＴの同時表示が設定された場合、直接入力情報３４が「ＯＮ」に、外部入力情報３５が「ＯＦＦ」に設定されているため、ステップＳ１１５にて内蔵された赤外線受信装置の赤外線受信機能をＯＮに設定するとともに、ステップＳ１２５にて外部赤外線受信装置４の赤外線受信機能をＯＦＦに設定する。この場合、ユーザは、情報処理装置１に向けて赤外線発光装置７（リモコン）を操作すれば良い。
【００４３】
また、ステップＳ１０１にてＬＣＤとＴＶの同時表示が設定された場合、直接入力情報３４が「ＯＦＦ」に、外部入力情報３５が「ＯＮ」に設定されているため、ステップＳ１１７にて内蔵された赤外線受信装置の赤外線受信機能をＯＦＦに設定するとともに、ステップＳ１２３にて外部赤外線受信装置４の赤外線受信機能をＯＮに設定する。この場合、ユーザは、ＴＶ６に向けて赤外線発光装置７（リモコン）を操作すれば良い。
【００４４】
また、ステップＳ１０１にてＬＣＤをモニタ１、ＣＲＴをモニタ２とするマルチモニタ、またはＴＶをモニタ１、ＬＣＤをモニタ２とするマルチモニタが設定された場合、直接入力情報３４が「ＯＮ」に、外部入力情報３５が「ＯＦＦ」に設定されているため、ステップＳ１１５にて内蔵された赤外線受信装置の赤外線受信機能をＯＮに設定するとともに、ステップＳ１２５にて外部赤外線受信装置４の赤外線受信機能をＯＦＦに設定する。この場合、ユーザは、情報処理装置１に向けて赤外線発光装置７（リモコン）を操作すれば良い。
【００４５】
また、ステップＳ１０１にてＣＲＴをモニタ１、ＬＣＤをモニタ２とするマルチモニタ、またはＬＣＤをモニタ１、ＴＶをモニタ２とするマルチモニタが設定された場合、直接入力情報３４が「ＯＦＦ」に、外部入力情報３５が「ＯＮ」に設定されているため、ステップＳ１１７にて内蔵された赤外線受信装置の赤外線受信機能をＯＦＦに設定するとともに、ステップＳ１２３にて外部赤外線受信装置４の赤外線受信機能をＯＮに設定する。この場合、ユーザは、ＣＲＴ５またはＴＶ６に向けて赤外線発光装置７（リモコン）を操作すれば良い。
【００４６】
このようにして情報処理装置１は、ユーザが表示画面や音声の出力先の設定を行った場合、この表示画面や音声の出力先と、ＨＤドライブ１３に記憶されている切替情報３０とに基づいて、各々の赤外線受信装置のＯＮ／ＯＦＦ状態の設定を行う。
【００４７】
情報処理装置１においてＡＶアプリケーションを起動する際、本体に内蔵された液晶ディスプレイ２３に単体で表示画面や音声の出力を行う場合、内蔵された赤外線受信装置をＯＮにすることで、ユーザはＴＶ６の方向に向けて赤外線発光装置７（リモコン）を操作することによりＡＶアプリケーションを操作することができる。
【００４８】
一方で、情報処理装置１においてＡＶアプリケーションを起動する際、外部赤外線受信装置４をＴＶ６の近辺に設置して、情報処理装置１からＴＶ６へ表示画面や音声の出力を行う場合、外部赤外線受信装置４の赤外線機能をＯＮにすることにより、ユーザはＴＶ６の方向に向けて赤外線発光装置７（リモコン）を操作することによりＡＶアプリケーションを操作することができる。
【００４９】
なお、実施形態として、情報処理装置１に内蔵された赤外線受信装置及び外部赤外線受信装置４のうちの一方をＯＮにし他方をＯＦＦにする例について説明したが、これに限定されず、双方をＯＮにしたり双方をＯＦＦにしたりできるようにしても良い。また、赤外線を受信する赤外線受信装置として、情報処理装置１に内蔵された赤外線受信装置及び外部赤外線受信装置４の２つを使用する例について説明したが、これに限定されず、情報処理装置１が３つ以上の赤外線受信装置を備えている場合であっても、同様の赤外線受信制御処理が行われる。
【００５０】
また、実施形態にて、ユーザがユーティリティや設定画面４０を用いて表示デバイスの切り替えに応じて赤外線受信装置のＯＮ／ＯＦＦ状態の設定を行う場合のみを説明しているが、実行するアプリケーション、液晶ディスプレイ２３のＬｉｄ（液晶パネル）の開閉、ドッカーとのＤｏｃｋ／Ｕｎｄｏｃｋ、液晶ディスプレイ２３のモニターオフ、スクリーンセーバー動作等と赤外線受信装置のＯＮ／ＯＦＦ状態を関連付けても良い。
【００５１】
さらに、実施形態として、赤外線発光装置７により出射された赤外線を、赤外線受信部１９や外部赤外線受信装置４にて受信する例について説明したが、これに限定されず、赤外線発光装置７が何らかの情報を発信する情報発信装置であるとともに、赤外線受信装置が、この情報発信装置により発信された情報を受信する受信装置であれば良い。
【００５２】
本発明に係る情報処理装置１によると、表示デバイス切り替え時の赤外線受信装置のＯＮ／ＯＦＦ状態を示す情報を定義する手段をユーザに提供するとともに、外部の表示デバイスが接続されていて表示デバイスが切り替えられる時に、この情報に従って各々の赤外線受信装置のＯＮ／ＯＦＦ状態を設定することにより、表示デバイス切り替え時のユーザの煩雑な操作を軽減することが可能となる。
【００５３】
本発明に係る情報処理装置１として、装置内部に発明を実施する機能が予め記録されている場合で説明をしたが、これに限らず、同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても構わない。
【図面の簡単な説明】
【００５４】
【図１】本発明に係る情報処理装置が適用される情報処理システムのシステム構成図。
【図２】本発明に係る情報処理装置の機能ブロック図。
【図３】本発明に係る情報処理装置における赤外線受信制御処理を説明するための図。
【図４】切替情報のデータ構成図。
【図５】切替情報を設定するための設定画面の画面図。
【図６】本発明に係る情報処理装置の液晶ディスプレイ及び情報処理装置に接続されている表示デバイスの表示状態を示す図。
【図７】本発明に係る情報処理装置の液晶ディスプレイ及び情報処理装置に接続されている表示デバイスの表示状態を示す図。
【図８】本発明に係る情報処理装置の液晶ディスプレイ及び情報処理装置に接続されている表示デバイスの表示状態を示す図。
【図９】本発明に係る情報処理装置の液晶ディスプレイ及び情報処理装置に接続されている表示デバイスの表示状態を示す図。
【図１０】本発明に係る情報処理装置の液晶ディスプレイ及び情報処理装置に接続されている表示デバイスの表示状態を示す図。
【図１１】本発明に係る情報処理装置が赤外線受信制御処理を行う際の手順を示すフローチャート。
【符号の説明】
【００５５】
１…情報処理装置，２…情報処理システム，４…外部赤外線受信装置，５…外部モニタ（ＣＲＴ），６…ＴＶ，７…赤外線発光装置（ＩＲリモコン），１１…ＣＰＵ，１２…ＲＡＭ，１３…ＨＤドライブ，１４…ＲＯＭドライブ，１５…入力制御部，１６…表示制御部，１８…音声出力制御部，１９…赤外線受信部，２０…外部赤外線装置接続部，２１…チップセット，２２…入力装置，２３…液晶ディスプレイ（ＬＣＤ），２４…ビデオＲＡＭ，２５…スピーカ，３０…切替情報，３７…設定画面。
【要約】
【課題】本発明は、外部の表示デバイスが接続されている際に、表示デバイス切り替え時のユーザの煩雑な操作を軽減することができる情報処理装置を提供する。
【解決手段】複数の表示デバイスに対して表示画面や音声の出力を行う情報処理装置であって、情報発信装置７、及び、この情報発信装置７により発信された情報を受信する複数の受信装置４、１９を備えるとともに、表示画面や音声の出力先を示す情報、及び、前記複数の受信装置のＯＮ／ＯＦＦ状態を示す情報とを対応付けて記憶する記憶手段と、表示画面や音声の出力先が切り替えられた際、前記記憶手段においてこの切り替え後の出力先に対応付けられた情報に基づいて、複数の受信装置のＯＮ／ＯＦＦ状態を設定する設定手段と、を備えた。
【選択図】  図３【図１】
0004286891.tif 000002
【図２】
0004286891.tif 000003
【図３】
0004286891.tif 000004
【図４】
0004286891.tif 000005
【図５】
0004286891.tif 000006
【図６】
0004286891.tif 000007
【図７】
0004286891.tif 000008
【図８】
0004286891.tif 000009
【図９】
0004286891.tif 000010
【図１０】
0004286891.tif 000011
【図１１】
0004286891.tif 000012